(57)【要約】【課題】  泡消火設備配管上に設置される泡ヘッドにおいて、高圧状態の消火液がデフレクターに衝突してもデフレクターが強固に支持されていることで、泡粒が所定の領域に安定して散布可能な泡ヘッドを提供する。【解決手段】  泡消火設備配管に接続されるノズルが内部に設けられ、該ノズルの前記泡消火設備配管と接続される側と対向する側より外方へ拡張された鍔部６を有する本体１と、ノズル出口の延長状に板状のデフレクター２が設置され、該デフレクター２を覆い前記本体１の鍔部６に固定される網目状のスクリーン４から成る泡ヘッドであり、デフレクター２は本体１の鍔部６から垂下して設置された複数本の支柱３により吊設される。【選択図】    図２
2010167065.tif 000002
【特許請求の範囲】
【請求項１】
泡消火設備配管に接続される中空状のノズルが内部に設けられ、該ノズルの前記泡消火設備配管と接続される側と対向する側より外方へ拡張された鍔部を有する本体と、ノズル出口の延長状に板状のデフレクターが設置され、該デフレクターを覆い前記本体の鍔部に固定される網目状のスクリーンから成る泡ヘッドにおいて、デフレクターは本体の鍔部から垂下して設置された複数本の支柱により吊設されていることを特徴とする泡ヘッド。
【請求項２】
前記泡ヘッドにおいて、デフレクターの中央にノズル側に突出した凸部が設けられていることを特徴とする請求項１記載の泡ヘッド。
【請求項３】
前記泡ヘッドにおいて、デフレクターは楕円形状をしており、楕円の長軸側に支柱が設けられていることを特徴とする請求項１または２記載の泡ヘッド。
【請求項４】
前記泡ヘッドにおいて、支柱の一端にはデフレクターが係止される鍔部が設けられていることを特徴とする請求項１記載の泡ヘッド。
【請求項５】
前記泡ヘッドにおいて、デフレクターと支柱が一体に形成されていることを特徴とする請求項１記載の泡ヘッド。
【発明の詳細な説明】
【技術分野】
【０００１】
本発明は、消火用の泡ヘッドに関するものである。
【背景技術】
【０００２】
泡ヘッドは、泡消火設備に用いられており、泡原液と水を混合した消火液を供給する泡消火設備配管の末端に泡ヘッドが設置されている。泡ヘッドはノズルを有しており、該ノズルは前述の泡消火設備配管に接続されている。ノズル出口の延長上には消火液を四方に飛散させる板状のデフレクターが設置され、さらにデフレクターの周囲を覆うように網目状のスクリーンが設けられている。
【０００３】
デフレクターより飛散した消火液はスクリーンの網目を通過する際に空気を吸い込み発泡して泡粒の状態で飛散される。泡粒が飛散され可燃物を覆うことで可燃物へ酸素の供給を遮断して窒息消火が行なわれる。
【０００４】
従来の泡ヘッドとして、デフレクターを１本の支柱により支持している構造のものがある。例えば特許文献１に記載の泡ヘッドは、ノズル内を貫通して設けられた支柱の上部がノズル内の段部に固着されたガイドの中央に固定されている。支柱の下端にはデフレクターが固着されており、デフレクターが吊設された状態にある。
【０００５】
【特許文献１】実開昭５６−６４６４号公報
【特許文献２】実開昭５２−１６９９９７号公報
【発明の開示】
【発明が解決しようとする課題】
【０００６】
泡ヘッドが設置されている泡消火設備は通常、配管内が空であり火災時のみ消火液が配管内へ供給される構成となっている。ゆえに、高い圧力の消火液が泡ヘッドに供給されると、泡ヘッドのノズルから高圧の消火液が放出されデフレクターに衝突する。すると、いわゆるウォーターハンマー現象によってデフレクターに過大な力が加わってデフレクターが破損したり、支柱からデフレクターが外れてしまうおそれがある。
【０００７】
そこで本発明では上記問題に鑑み、高圧状態の消火液がデフレクターに衝突してもデフレクターが強固に支持されていることで、泡粒が所定の領域に安定して散布可能な泡ヘッドを提供することを目的としている。
【課題を解決するための手段】
【０００８】
上記の目的を達成するために、請求項１記載の発明は、泡消火設備配管に接続される中空状のノズルが内部に設けられ、該ノズルの前記泡消火設備配管と接続される側と対向する側より外方へ拡張された鍔部を有する本体と、ノズル出口の延長状に板状のデフレクターが設置され、該デフレクターを覆い前記本体の鍔部に固定される網目状のスクリーンから成る泡ヘッドにおいて、デフレクターは本体の鍔部から垂下して設置された複数本の支柱により吊設されていることを特徴とする泡ヘッドである。
【０００９】
請求項２記載の発明は、前記泡ヘッドにおいて、デフレクターの中央にノズル側に突出した凸部が設けられていることを特徴とする請求項１記載の泡ヘッドである。
【００１０】
請求項３記載の発明は、前記泡ヘッドにおいて、デフレクターは楕円形状をしており、楕円の長軸側に支柱が設けられていることを特徴とする請求項１または２記載の泡ヘッドである。
【００１１】
請求項４記載の発明は、前記泡ヘッドにおいて、支柱の一端にはデフレクターが係止される鍔部が設けられていることを特徴とする請求項１記載の泡ヘッドである。
【００１２】
請求項５記載の発明は、前記泡ヘッドにおいて、デフレクターと支柱が一体に形成されていることを特徴とする請求項１記載の泡ヘッドである。
【発明の効果】
【００１３】
請求項１記載の発明によれば、ノズル出口の延長上に設けられるデフレクターを吊設する支柱を本体の鍔部に固定設置したことにより、複数本の支柱によりデフレクターが支えられ支持強度が向上する。また複数本でデフレクターを支持することにより高圧状態の消火液がデフレクターに衝突した際の衝撃に対して安定してデフレクターを支持可能である。また特許文献２の泡ヘッドのようにデフレクターを固定するネジの頭がスクリーン側に露出することがないので意匠的にも好ましい泡ヘッドとなる。
【００１４】
請求項２記載の発明によれば、デフレクターの中央にノズル側に突出した凸部を設けたことにより、ノズルより放出された消火液が凸部に衝突し、凸部からデフレクターの周縁方向へ向かってデフレクター上を流れるが、凸部を設けたことで泡原液が流れる距離が増し、泡原液の流れが加速される効果を有する。
【００１５】
請求項３記載の発明によれば、デフレクターを楕円形にして楕円の長軸側に支柱を設置したことで、デフレクターに衝突して支柱方向に流れた消火液は、支柱が流れの妨げとなり流れの勢いが減少してしまうので、支柱が無い方向に流れた消火液よりも飛距離が短くなってしまう。そこで楕円形をしたデフレクターの長軸方向に支柱を設置して、消火液がデフレクター上を流れる距離を短軸方向より長くすることで流れが加速される効果を有する。
【００１６】
請求項４記載の発明によれば、支柱の一端にデフレクターを係止するための鍔部を設けたことで、支柱の端部にデフレクターが係止され、支柱およびデフレクターがスクリーン内に収容されることで意匠的に好ましいものとなる。
【００１７】
請求項５記載の発明によれば、デフレクターと支柱を一体に形成したことで、部品点数が削減されコストダウンが図られる。
【発明を実施するための最良の形態】
【００１８】
ノズル出口の延長上に設けられたデフレクターを吊設する支柱を本体の鍔部に固定設置する際に、デフレクターがノズルの軸に対して垂直となるように注意する。具体的には複数本存在する支柱の長さが均一となるようにする。
【００１９】
デフレクターの形状は、支柱の本数に合わせて楕円形や三角形、四角形・・・等の多角形としてもよく、楕円であれば長軸側に支柱を設置し、三角形等の多角形であれば角部に支柱を設置することが好ましい。またデフレクターには切欠きを設置したり表面に凹凸を形成してもよい。
【００２０】
デフレクターの中央に設ける凸部の形状は、円筒形状や円錐形状、あるいは円筒・円錐形状の先端が球状になったものや、円筒・円錐に限定せず、断面が多角形状のものや楕円のもの等を用いることや、凸部の表面に段や切欠きを設けることも可能である。
【００２１】
また、前記凸部はデフレクターと一体に形成することも可能であり、デフレクターの中央付近がノズル出口側に盛り上がるように形成してもよい。
【００２２】
デフレクターを吊設するための支柱を本体へ固定する方法は、本体に形成された鍔部に設けられた支柱穴に支柱の一端を挿通してカシメにより固定してもいいし、あるいは前述の支柱穴に牝ネジを螺刻しておき、支柱の端部に該牝ネジと螺合する牡ネジを形成しておき螺合により固定することや、溶接やろう付けにより固定することも可能である。
【００２３】
ノズル内には、柱部材に斜めの貫通穴または切欠きが複数穿設され、消火液に旋回流を発生させるためのコマを設置することも可能である。該コマの一例として実開昭５２−９６０９９号に記載のものがある。
【実施例】
【００２４】
以下、この発明の実施例を図１から図３を参照して説明する。図１は本発明の泡ヘッドを泡消火配管側から見た状態の図、図２は図１に示すＸ−Ｙ断面図であり一点鎖線を境として左側がＸ方向矢視図、右側がＹ方向矢視図である。図３はデフレクターの平面図である。
【００２５】
本発明の泡ヘッドは、本体１、デフレクター２、支柱３、スクリーン４から構成される。
【００２６】
図１、２に示す本体１は、円筒部５を有しており円筒部５の下部は外方に拡張された鍔部６が形成されている。円筒部５の外周には泡原液と水が混合された消火液が供給される泡消火配管と接続するための牡ネジ７が螺刻されている。円筒部５の内周はノズルとなっている。
【００２７】
円筒部５の内周の下部は口径が絞られたオリフィス８が形成されている。泡消火配管から供給された消火液は、オリフィス８によって増圧された状態で放出されてデフレクター２に衝突する。
【００２８】
鍔部６には、複数の吸気穴９が穿設されている。またデフレクター２を吊設する支柱３の端が、鍔部６に穿設された支柱穴１０に挿通された後にカシメ固定される。
【００２９】
デフレクター２は楕円形状の平板から構成され、図１においてはデフレクターの設置位置について二点鎖線にて図示している。デフレクター２は図２に示すように中央にはオリフィス側に突出した凸部２Ａが形成され、周縁には複数の切欠き１１が形成されている。またデフレクターの長軸側には支柱３が貫通する穴１２が設けられている。
【００３０】
支柱３は前述のように一端にはデフレクター２が係止される鍔部１３が形成され、他端は本体１の鍔部６に固定設置されている。デフレクター２は鍔部１３により係止されているが、支柱３に沿って摺動可能としてもよいし、あるいは接着剤等によって鍔部１３と固着させてもよい。
【００３１】
各々の支柱３において本体１側に固定される端部に段３Ａを形成し、該段３Ａから鍔部１３までの長さが均等となるよう形成する。前記段３Ａが支柱穴１０の端面と接触した状態で本体１に設置固定すると、デフレクター２の平面が円筒部５の軸に対して垂直に設置できる。
【００３２】
スクリーン４は金網を椀型に形成したものであり、縁部１４が本体１の鍔部６の縁にカシメ固定される。具体的には鍔部６の縁に設けられた図２に二点鎖線で示した立下り部１５にスクリーン４をはめ込んだ後、立下り部１５の外周側から内側に向かって立ち下がり部１５を屈曲させ、立下り部１５と鍔部６の間にスクリーン４の縁部１４を挟みこんで設置される。
【００３３】
スクリーンの形状は、半球状に限らず、実開昭５７−９７５６４号の第３図に示された凹部を有する実開昭５７−９７５６４号の第３図のような形状や、実開昭５３−５４５９８号の第１図にある半球面上に段部を有する形状としてもよい。またスクリーン４の網目の大きさは使用する泡原液の性質や水との混合比率等によって網目の粗いものや細かいものを選んで使用することも可能である。
【００３４】
続いて本発明の泡ヘッドの作用について説明する。
【００３５】
本発明の泡ヘッドの本体１は、泡原液と水が混合された消火液が供給される泡消火配管と接続されている。該泡消火配管は常時は空の状態となっており、火災が発生した場合に消火液が供給される。火災が発生して消火液が供給されると、本体１の円筒部５内に消火液が流入してオリフィス８から増圧された消火液がデフレクター２に向かって放出される。
【００３６】
消火液はデフレクター２に高圧状態で衝突するが、デフレクター２は複数本の支柱３により支持されているので消火液がデフレクター２に衝突した際にデフレクター２がぐらついたり、デフレクター２や支柱３の破損を防ぐことができる。
【００３７】
消火液はデフレクター２の表面を流れて、デフレクター２の周縁から飛散して網目状のスクリーン４に到達する。消火液はスクリーン４の網目を通過する際に吸気穴９から本体１内に取り込まれた空気やスクリーン４の周囲の空気を吸い込み発泡され、小さな泡粒となり四方へ飛散される。泡粒状の消火液は、燃焼箇所の表面を覆って窒息作用により酸素と燃焼箇所を遮断して消火が行われる。
【図面の簡単な説明】
【００３８】
【図１】本発明の泡ヘッドを泡消火配管側から見た状態の図
【図２】図１に示すＸ−Ｘ断面図
【図３】デフレクターの平面図
【符号の説明】
【００３９】
１  本体  
２  デフレクター  
３  支柱  
４  スクリーン  
５  円筒部  
６  本体の鍔部  
８  オリフィス  
９  吸気穴  
１３  支柱の鍔部  
【図１】
2010167065.tif 000003
【図２】
2010167065.tif 000004
【図３】
2010167065.tif 000005